(57)【要約】【課題】液晶プロジェクタにおいて、ライトバルブ素子４１４の冷却と塵埃付着時の除去及び光学機能部品の冷却という課題を解決する。【解決手段】直交以上の角度で複数の吹き出し口から風を当ててライトバルブ素子４１４の冷却効率を上げる。また、遠心ファン１４０の風の流路に分岐を設けて単一のファンでライトバルブ素子４１４と光学機能部品であるインテグレータレンズＢ２０３などの複数箇所を冷却する手段を設けた。さらには、光学ユニットから、投射系ユニットを上方に取り外し可能として、メンテナンス時の取り扱いを容易にする手段とする。【選択図】  図１
2005266833.tif 000002
【特許請求の範囲】
【請求項１】
光を放射する光源と、
前記光源からの光を映像表示素子に照射させる照明手段と、
ライトバルブ手段と、
投射手段とを有し、
前記ライトバルブ手段に風を当てて冷却する冷却手段を持つ表示装置であって、
前記ライトバルブ手段への冷却風は、入射側と出射側で、冷却風の方向が、異なることを特徴とする映像表示装置。
【請求項２】
光を放射する光源と、
前記光源からの光を映像表示素子に照射させる照明手段と、
ライトバルブ手段と、
投射手段とを有し、
前記ライトバルブ手段に風を当てて冷却する冷却手段を持つ表示装置において、
前記ライトバルブ手段の冷却風は、入射側と出射側で、冷却風の方向が、略逆向きとなることを特徴とする映像表示装置。
【発明の詳細な説明】
【技術分野】
【０００１】
本発明は、液晶パネルなどのライトバルブ素子を使用して、スクリーン上に映像を投影する、たとえば、液晶プロジェクタ装置や、液晶テレビジョン、投写型ディスプレイ装置等の映像表示装置に関するものである。
【背景技術】
【０００２】
従来より、電球などの光源からの光を、液晶パネルなどのライトバルブ素子で画素毎の濃淡に変えて調節し、スクリーンなどに画像を拡大投射する液晶プロジェクタ等の投写型の表示装置が知られている。
【０００３】
さて、ライトバルブ素子は、一般には半導体の駆動素子と液晶等の光学機能材料とにより構成されており、いずれも正常に動作させるためには、所定の温度（例えば６０℃など）以下に保つ必要がある。一方、光源から出た光は、最終的に投射される分以外は、ライトバルブ素子およびその周辺の光学素子等に吸収されて熱となる。そのため、投影型の表示装置では、正常に動作する範囲を越えて過熱しないようにライトバルブ素子を冷却する必要がある。そして、このような冷却の重要性は、最近の投射映像の高輝度化のための光源光の強度の増加に伴い、ますます増加している。光源光の強度の増加によって、ライトバルブ素子の発熱量も増加するからである。
【０００４】
ライトバルブ素子以外に光学機能部品の中には、高分子材料を用いたものなど、高温ではその性能や機能に変化をきたすものがあり、これらも所定の温度以下（たとえば１５０℃など）に保つ必要がある。上記したような高輝度化に伴って、ライトバルブ素子以外の光学機能部品に関しても冷却が必要となってきた。
【０００５】
また、このような映像表示装置では、光学系は、ライトバルブ素子の画像面に焦点を結ぶことになるため、ライトバルブ素子付近に付着する塵埃などの異物はそのまま拡大投射されて影としてスクリーンなどに映し出されることになるため、ライトバルブ素子付近の塵埃の防止はもちろん塵埃が付着した後に除去できるなどのメンテナンス性も重要な課題となっている。
【０００６】
従来、ライトバルブ素子の冷却に関する技術としては、たとえば特開平９−１２００４６号公報に記載されている技術が知られている。この技術では、液晶ライトバルブの側面に風を供給し、液晶ライトバルブの発熱を冷却するというものである。このようにすると、液晶ライトバルブ素子の発熱による温度上昇は冷却により抑えることが可能である。しかしながら、この従来技術では、片側からの風により、冷却風の入り口側の温度が低くなり、出口側が高くなるなどの温度差ができてしまい、特に高輝度化時に充分な性能が得られないことがある点、従来十分に認識されていなかった。また、高輝度化に伴ってライトバルブ素子などの発熱全体が増し、冷却能力が不足することがある点など、十分に認識されていなかった。さらには、高輝度化にともなって、ライトバルブ素子以外の光学機能部品の冷却が必要になってくる点も十分認識されていなかった。
【０００７】
また、別の従来の技術としては、たとえば特開平５−５３２００号公報に記載されている技術が知られている。この技術では、ライトバルブ手段の冷却に、圧力型の遠心タイプのシロッコファンを用いている。このようにすると、比較的狭いダクト（風路）においても風量を確保でき、効率よく冷却が可能である。この、従来技術では、高輝度化にともなって、ライトバルブ手段以外の光学機能素子の冷却が必要になる点、従来十分に認識されていなかった。
【０００８】
また、映像表示装置における塵埃防止に関する技術としては、特開平７−１５２００９号公報記載の技術が知られている。この技術では、透過型のライトバルブ素子である液晶パネルを密閉された空間内に置き、密閉空間内の空気を 循環させて液晶パネルの発熱を放熱し、さらに密閉空間外へ伝えるというものである。このようにすると、塵埃の付着を防止することは可能であるが、高輝度化に伴って、冷却能力が不足することがある点など、従来十分に認識されていなかった。
【０００９】
さらには、製造過程などで混入する塵埃については、一旦密閉空間内に入ってしまうと、取り出すのが困難である点、メンテナンス性について、従来十分に認識されていなかった。
【００１０】
映像表示装置のメンテナンス性に関しては、たとえば特開平７−３１１３７２号公報に記載されている技術が知られている。この技術では装置内がユニットの組み合わせ構成となっており、それぞれが個別に着脱可能となっている。このようにすると、各ユニット毎のメンテナンスや交換が容易となる。しかしながら、この従来技術では、メンテナンスの機会の多い投射レンズおよび液晶ライトバルブ素子部分を含むユニットは、投射レンズの投射方向に着脱する構成となっており、実際に着脱を行う場合には、光学系全体のユニットを解体する必要がある点、従来十分に認識されていなかった。
【００１１】
【特許文献１】特開平９−１２００４６号公報
【特許文献２】特開平５−５３２００号公報
【特許文献３】特開平７−３１１３７２号公報
【発明の開示】
【発明が解決しようとする課題】
【００１２】
前記特開平９−１２００４６号公報および特開平５−５３２００号公報技術記載の装置では、高輝度化に伴うライトバルブ素子の冷却と、ライトバルブ素子付近の塵埃の処理について十分考慮されておらず、前述した過熱によって正常動作しなくなったり、スクリーン上に塵埃による影が生じてしまうと除去が困難となることがある点、従来十分に考慮されていなかった。また、光学機能素子の冷却も同時に必要である点も、十分に認識されていなかった。
【００１３】
また、特開平７−１５２００９号公報記載の技術では、密閉空間内の空気を介して冷却を行うものであるため、あまり効率的な冷却は期待できず、光源光の強度の増加によって加熱量が増加した場合などには、充分にライトバルブ素子を冷却できない可能性がある。そして、この場合には、映像表示装置を正常に動作させることができなくなる点、従来十分に考慮されていなかった。また、装置のメンテナンスついて困難となる点、十分に考慮されていなかった。
【００１４】
特開平７−３１１３７２号公報記載の技術では、ライトバルブ素子付近のメンテナンス時に、周辺の部材を解体する必要があるなど、その取り扱いについて、十分に考慮されていなかった。
【００１５】
そこで、本発明は、ライトバルブ素子及び光学機能部品の効率的な冷却を行うことができ、さらにはライトバルブ素子周りのメンテナンス性に優れる投射型の表示装置を提供することを課題とする。
【課題を解決するための手段】
【００１６】
前記課題達成のために、本発明が提供する映像表示装置の一例を示すならば、それは、光源光を、ライトバルブ手段に入射し、ライトバルブ素子で変調された光を投映する表示装置であって、ライトバルブ手段の冷却に関しては、異なる複数角度の冷却風をライトバルブ手段に当てて、乱流を発生させて冷却を効率よく行うようにしている。また、ライトバルブ手段以外の光学機能部品の冷却としては、ダクト手段の分岐により分流して、同じ圧力型の遠心型ファンを用いてライトバルブ手段の冷却同時に行う手段としている。また、投射手段を、光学系部から上方に離脱できる構成とし、かつ投射手段と取り付け基準は光学系部の光学部品と同一手段とし、着脱に伴う光学位置ずれの問題を防止している。また、着脱時には、光学系部を解体すること無く、投射手段のみを単独で取り扱える構成としている。
【発明の効果】
【００１７】
以上のように本発明によれば、ライトバルブ素子付近および光学機能部品の冷却と、ライトバルブ素子の塵埃除去が可能な投射型の表示装置を提供することができるという効果がある。
【発明を実施するための最良の形態】
【００１８】
以下、添付の図面を参照しながら、本発明の実施の形態について説明する。
【００１９】
図１から図１２は、本発明による、第１番目の一実施の形態の説明図である。
【００２０】
図１において、投射系ユニット５００は、光学ユニット１０の下側ユニットケース７００から着脱可能となっており、その着脱方向は、この図１での投射レンズの投射方向に対して上方となっている。
【００２１】
詳細な説明に先立って、図２から図８を用いて本実施の形態に係る映像表示装置の概略構成について説明しておく。
【００２２】
図２は、本発明の一実施の形態の外観を示した図である。映像表示装置１の内部には、光学ユニットが収容されている。図示する映像表示装置１において、投射系ユニット５００の一部である投射レンズ手段は映像表示装置の外装匡体の外部に露出しており、この投射レンズ手段より、外部のスクリーンなどに映像が投射される。また前方には吸気口１１０が、側面後方には排気口１１１が設けられており、吸気口１１０から外気を取り入れて装置内部を冷却後、暖まった空気を排気口１１１から装置外部へ排出する。
装置の操作は、操作ボタン１１３もしくは遠隔操作受信部Ａ１１７経由で外部からの操作信号により行う。また、装置の移動時には、ハンドル１２２を使用する。
【００２３】
図３は、図２に示した映像表示装置の底面側の外観を示している。
【００２４】
映像表示装置１の底面側には、光源の交換蓋１１４が設けてあり、この蓋を開けて光源を交換する。また、装置全体の設置角度を調整して投射する映像の角度を調整する調整脚Ａ１１２及び調整脚Ｂ１１５が設けてある。これら２つの脚の高さを調整して、投射する映像の位置や傾きの微調整を行う。
【００２５】
装置への外部からの映像信号は入力端子Ａ１１８や入力端子Ｂ１２０より入力する。また、電源は電源コネクタ１１９へ入力する。装置後方側にも遠隔操作受信部Ｂ１１６が設けてあり、図２に示した受信部と同様に動作する。
【００２６】
図２に示したハンドル１２２の反対側には、脚１２１が上記入力端子より高い位置に設けてあり、ハンドル１２２を持って、床面などに置いた場合に、入力端子などが損傷を受けないようになっている。
【００２７】
図４は、図１に示した映像表示装置の動作状態の斜視図（ａ）と側面図（ｂ）である。映像表示装置１から投射された光束はスクリーン上に映像１２２として映る。このとき、映像表示装置１とスクリーン上の映像との位置関係は、この図４においては投射系ユニットの光軸１２３に対して投射光束の光軸１２４は上方を向いており、投射レンズの光軸にいわゆるあおり角度が設けてある。投射レンズの光軸に設けたあおり角度は、机などの水平な台に装置を設置した状態で、上方のスクリーンに映像を投射する場合に発生するキーストンひずみ（台形ひずみ）を防止するために設けてある。照明側の光軸１２３に対して投射レンズを所定の量ずらし（あおり量１２６を設ける）て投射レンズ光軸１２５の位置に配置すると、斜めに投射されてできる映像が長方形などのひずみのない形状となる。このあらかじめ設定されている所定の光軸をずらすことをあおりと呼んでいる。この図４の設定では、図面の上方にあおり量１２６が設定されている。
【００２８】
天井などの上方に設置する場合には、装置全体を図４とは上下逆向きに設置することにより、天井より下向きに、下側のスクリーンなどに映像を表示することが可能となる。
【００２９】
図５は、図１に示した表示装置内部の光学構成を示す。
【００３０】
光源１０１から出射された適当な光量の光束は、まずインテグレータレンズＡ２０２、インテグレータレンズＢ２０３及びコリメータレンズＡ４０１を透過した後、反射ミラーＡ４０７で反射し、コリメータレンズＢ３０１を透過してダイクロイックミラーＢ４０８へと導かれる。ダイクロイックミラーＢ４０８では、２色成分、たとえば赤色及びシアン色成分に分離し、赤色成分を透過して反射ミラーＤへ、シアン色成分を反射してダイクロイックミラーＣ４０９へとそれぞれ導く。ダイクロイックミラーＣ４０９では、入射したシアン色成分をさらに２色成分、たとえば緑色成分と青色成分に分離し、緑色成分を反射してコンデンサレンズＧ４０５へ、青色成分を透過してリレーレンズＡ４０２へとそれぞれ導く。このようにして、カラーの映像表現に必要な複数色成分に分離する。
【００３１】
分離された色成分毎の光束は、それぞれの色成分を担当するライトバルブ手段へと進む。すなわち、反射ミラーＤ４１２から反射した赤色の光束はコンデンサレンズＲ４０４を経由してライトバルブ素子Ｒ４１３へと進む。コンデンサレンズＧ４０５に入射した緑色の光束はライトバルブ素子Ｇ４１５へと進む。また、リレーレンズＡ４０２に入射した青色成分の光束は、フィルタ４１９、反射ミラーＤ４１０、リレーレンズＢ４０３、反射ミラーＦ４１１、コンデンサレンズＢ４０６とすすみ、ライトバルブ素子Ｂ４１４へと進む。各色成分のライトバルブ手段には、図示しない駆動回路手段により、画像が表示されており、上記のように各色成分の入射光はライトバルブ手段により変調されて投射系ユニット５００へと進む。投射系ユニット５００には、複数の色成分の光束を合成する合成手段としてのプリズム手段が設けてあり、最終的に変調された光束は投射レンズ５０１により装置外部へと進む。
【００３２】
これにより、スクリーン（図示せず）上には、各色表示用のライトバルブ、４１３、４１４、４１５に表示された画像が映像として拡大投射されることになる。
【００３３】
図４で説明したように、投射系ユニット５００には、プリズム手段と投射レンズ手段との光軸をずらすなどにより、所定のあおり量を設定してある。すなわち、プリズム手段で合成された光束は、投射レンズ手段により設定されたあおり量に見合う角度だけずれた方向に投射される。
【００３４】
図６は、図１に示した映像表示装置内部の、光学ユニットの構成を示す。図５に示した図では、光学部品の配置を示したが、実際には、光学ユニット１０を構成する下側ユニットケース７００により各光学部品は支持されている。
【００３５】
また、光源１０１は、光源ユニット１００に支持された上で光学ユニット１０に取り付けられている。光源ユニット１００は使用状況によって交換が必要であり、光学ユニット１０から着脱可能となっている。
【００３６】
遠心冷却手段１３０は、外部からの空気を取り込んで、光学ユニット１０内のライトバルブ手段などの冷却が必要な部材へ風を送り冷却する。
【００３７】
投射系ユニット５００は、光学ユニット１０の下側を構成する下側ユニットケース７００に取り付けられている。すなわち、光学部品を支持している下側ケース７００に投射系ユニット５００が取り付けられている。
【００３８】
図７は、図６で説明した光学ユニット１０を構成する下側ユニットケース７００に上側ユニットケース７０１が取り付けられた状態を示す。
【００３９】
上側ユニットケース７０１には、さらに第１カバー１６０と第２カバー１６１が取り付けられていて、ライトバルブ手段の上方に配置されている。
【００４０】
光源ユニット１００の上方には、光源ハウジング１５１が設けられていて、さらにこの光源ハウジング１５１には軸流ファン１５０が取り付けられていて、主に光学ユニット１００付近の冷却を行っている。
【００４１】
図８は、光学ユニット１０が外装筐体に収納された状態を示す。説明のため、筐体の上部は切断して示している。
【００４２】
映像表示装置１の筐体に納められた光学ユニット１０は、吸気口１１２から取り入れた外部の空気を遠心冷却手段１３０により取り込み、主に光学ユニット１０内部の冷却に使用する。冷却後の空気は、筐体内部に放出される。一方、排気口１１１に面して軸流ファン１５０が設けてあり、光源ユニット１００付近を冷却して暖まった空気を映像表示装置１外部へと排出する。このとき、光源ユニット１００付近に流れ込む空気は、筐体内部にある空気であり、上記した光学ユニット１０内部の冷却に使用した空気が含まれる。このほか、図示しない電源や信号処理などの電気回路部分を冷却した空気もまとめて軸流ファン１５０が装置１外部へと排出する。
【００４３】
光学ユニット１０や図示しない電源などの冷却温度、たとえば５０度Ｃなどに比較して、光源ユニット１００に含まれる光源１０１の冷却温度、たとえば６００度Ｃのように遥かに高い。このため、いったん光学ユニット１０を冷却して温度上昇した空気、たとえば外気温度２０度Ｃであったものが２５度Ｃに上昇したような空気であっても、光源１０１の冷却に使用しても問題ない。
【００４４】
このようにして、映像表示装置１全体の冷却を行っている。
【００４５】
再び第１図に戻って詳細な説明を行う。
【００４６】
下側ユニットケース７００と投射系ユニット５００とは着脱可能となっていて、それらの位置合わせは、下側ユニットケース７００に設けてある位置決め突起Ａ７１０位置決め突起Ｂ７１１位置決め突起Ｃ７１２の３つの突起に勘合して行う。投射系ユニット５００側には、位置決め穴５１０、位置決め長穴Ａ５１１、位置決め長穴Ｂ５１２が設けてあり、まず、位置決め穴５１０が下側ユニットケース７００の位置決め突起Ａ７１０と勘合する。さらに、位置決め長穴Ａ５１１が位置決め突起Ｂ７１１に、位置決め長穴Ｂ５１２が位置決め突起Ｃ７１２にそれぞれ勘合して取り付け位置が確定される。
【００４７】
投射系ユニット５００を下側ユニット７００に勘合させた後、固定ネジ７１３により、投射系ユニット５００と下側ユニット７００とを固定する。
【００４８】
図９は、図１の投射系ユニットの着脱状態を別の角度からみた斜視図である。このように、下側ユニット７００から、直接着脱することができる。すなわち、上側ユニットなどその他の構成部品を取り外すこと無くライトバルブ手段を含む投射系ユニット５００を取り外し、ライトバルブ手段の清掃などのメンテナンスを行うことができる。
【００４９】
この時の、投射系ユニット５００の取り外し方向の矢印７３０の方向は、投射レンズ手段のあおり量の設定方向と一致させると、取り外す距離が少なくて済み、取り外し易い。
【００５０】
図１０は、冷却部分の詳細を示す斜視図である。また、図１１は図１０のダクト部分の接続詳細を示す。
【００５１】
光学ユニット１０の下側ユニット７００には、ダクトとしての導風部７１４があり、別体のガイド部材７１７とで導風路が構成されている。遠心ファン１４０から出る風は、この導風路を経由してライトバルブ手段などへ進む。導風部７１４の先には、分岐部があり、導風部Ｂ７１５が続いている。この導風部Ｂ７１５に対しては、導風板７１６があり、この導風板７１６と導風部Ｂ７１５の２つの部材によりダクトとしての導風路が構成されている。枝別れした導風路の先には、コリメータレンズＡ３０１とインテグレータレンズＢ２０３との形成する空間７１８があり、この空間７１８に上述したダクト手段７１５が接続されている。この状態で遠心ファン１４０を動作させると、遠心ファン１４０からの風は、導風部７１４で分岐してライトバルブ手段４１４と枝分かれした導風部７１５などよりなる導風路に進む。風はさらに進むとコリメータレンズＡ３０１とインテグレータレンズＢ２０３との形成する空間７１８へとすすみ、光学機能部品であるコリメータレンズＡ３０１とインテグレータレンズＢ２０３とを冷却して、光学ユニット外部へぬける。
【００５２】
このようにすると、ライトバルブ手段およびその周辺部品のみならず、光学機能部品の冷却も可能となる。
【００５３】
図１２は、ライトバルブ手段付近の冷却風の方向を示す説明図である。遠心ファン１４０から送られる風は、ダクトにより分割されて、さらに、ライトバルブ手段に対しては、図１２では側面の吹き出し口７２２および底面吹き出し口７２１のほぼ直交する２つの吹き出し口から吹き付ける構成となっている。つまり、略４５度以上、略３１５度以下の範囲で複数の吹き出し口からの風を吹き付ける構成である。このようにすると、異なる角度の２つの風を当てることにより、ライトバルブ手段のほぼ中央付近では風の流れが乱流となり、熱交換効率が増し、効果的に冷却することが可能となる。すなわち、強制的に乱流を発生させて、冷却効率を増す。このようにして、特に風量を増大させることなく冷却能力を増大することができる。
【００５４】
図１２の説明では、ライトバルブ手段を用いて説明を行ったが、実際にはライトバルブ手段と前後して偏光手段を設ける場合が多い。偏光手段もライトバルブ手段と同様に発熱してその冷却が必要な光学機能部品である。偏光手段の冷却を行う場合にも、図１２のライトバルブ手段の位置に偏光手段を置いて冷却する場合でも同様であることは、言うまでもない。さらに、ライトバルブ手段と偏光手段の両方を同時に冷却する場合でも同様である。
【００５５】
以上まとめると、本発明による第１番目の一実施の形態によれば、高輝度化に伴う光学機能部品の発熱量の増加という課題に対しては、冷却風を複数の角度で当てて熱交換効率を増して冷却能力を増し、ライトバルブ素子以外の光学機能部品もライトバルブ手段と同じ冷却手段で冷却することにより解決できるという効果がある。また、ライトバルブ手段付近のメンテナンス性に関しては、投射系ユニット手段を光学ユニットから、着脱可能とし、この時の着脱方向を投射レンズ手段のあおり量方向に設定したことにより、着脱が容易となり、メンテナンス性に優れるという効果がある。
【００５６】
図１３は、本発明による第２番目の一実施の形態の冷却状態を示す斜視図である。
【００５７】
ライトバルブ手段４１４付近の冷却風の方向は、ライトバルブ手段の表裏すなわち光の入射面と出射面とで対向する関係と設定している。すなわち、入射面側の吹き出し口７２２の吹き出し方向７２４と出射面側の吹き出し口７２１の吹き出し方向４２３とを対向させている。このようにすると、従来のようにライトバルブ手段を冷却する風の方向が一方向の場合は風の吹き出し口側の温度が低くなり、出口側の温度が相対的に高くなることが無く、ライトバルブ手段の温度勾配を平均化することが可能となる。また、温度勾配が平均化できるため、問題となるライトバルブ手段内での最高温度が押さえられ、結果として冷却効率を増大することになる。本発明による第２番目の一実施の形態によれば、ライトバルブ手段付近の冷却効率を増すことができるという効果がある。
【００５８】
図１４は、本発明による第３番目の一実施の形態のダクトの分岐状態を示す説明図である。
【００５９】
遠心ファン１４０からの風は、導風部７１４で分岐してライトバルブ手段４１４と枝分かれした導風部７１５などよりなる導風路に進む。風はさらに進むと別の枝分かれ部に達し一方はコリメータレンズＡ３０１とインテグレータレンズＢ２０３との形成する空間７１８へとすすむ。もう一方は光源１０１とインテグレータレンズＡ４０１との形成する空間７８０へと進む。空間７１８では光学機能部品であるコリメータレンズＡ３０１とインテグレータレンズＢ２０３とが冷却される。空間７８０では光源１０１の出射面側とインテグレータレンズＡ４０１とが冷却される。冷却後の風は、光学ユニット外部へぬける。本発明による第３番目の一実施の形態によれば、冷却が必要な複数の光学機能部品対を効率よく冷却できるようになるという効果がある。
【００６０】
図１５は、本発明による第４番目の一実施の形態の斜視図である。
【００６１】
色合成手段であるプリズムユニット７６０およびプリズムユニットに一体となっているライトバルブ手段４１３、４１４、４１５のが光学ユニットから着脱可能となっている構成である。
【００６２】
このように、本発明による第４番目の一実施の形態によれば、ライトバルブ手段の塵埃の付着などの問題に対する清掃などのメンテナンスが容易となる効果がある。
【００６３】
本発明の説明では、実施の形態として、ライトバルブ手段に液晶を用いた例で説明したが、他のライトバルブ手段、たとえば微少鏡駆動方式、レーザーアドレス液晶方式など、入射光を変調して映像として投影できるものであれば透過式・反射式ともに同様に実現可能である。また、ライトバルブ手段を３枚使用するいわゆる３板方式で説明を行ったが、２枚、あるいは１枚などのライトバルブ手段を用いる方式であっても同様の効果を有することは言うまでもない。
【００６４】
説明では、投射型としての装置の説明で、正面からスクリーンに投射するものを例として使用したが、背面側から投射するいわゆる背面投射型の装置とした場合でも、同様の効果がある。
【００６５】
装置の外形の説明としては、可搬型の小型装置を例に説明したが、固定型たとえば劇場などに固定して使用する形態のもの、あるいは屋外に設置する建物と一体となった形態のものであっても同様の効果がある点は言うまでもない。
【００６６】
このような表示装置によれば、ライトバルブ手段の冷却は乱流により効率よく冷却することが可能となる。また、高輝度化に伴って必要となる光学機能部品の冷却もライトバルブ手段と兼用できる。さらには、投射手段を光学系部から容易に離脱できて、メンテナンスが容易となる。
【図面の簡単な説明】
【００６７】
【図１】本発明の第１実施形態に係る表示装置の着脱の説明図である。
【図２】本発明の第１実施形態に係る表示装置の外観を示す斜視図である。
【図３】本発明の第１実施形態に係る表示装置の外観底面側を示す斜視図である。
【図４】本発明の第１実施形態に係る表示装置の動作時の、投射映像位置を示す断面図である。
【図５】本発明の第１実施形態に係る表示装置の光学系の構成を示す斜視図である。
【図６】本発明の第１実施形態に係る表示装置の構成を示す斜視図である。
【図７】本発明の第１実施形態に係る表示装置の構成を示す斜視図である。
【図８】本発明の第１実施形態に係る表示装置の内部構成を示す斜視図である。
【図９】本発明の第１実施形態に係る表示装置の着脱の説明図である。
【図１０】本発明の第１実施形態に係る表示装置の冷却ダクトの構成を示す斜視図である。
【図１１】本発明の第１実施形態に係る表示装置の冷却構成を示す断面図である。
【図１２】本発明の第２実施形態に係る表示装置の冷却部分の構成を示す斜視図である。
【図１３】本発明の第３実施形態に係る表示装置の冷却部分の構成を示す斜視図である。
【図１４】本発明の第４実施形態に係る表示装置の冷却ダクトの構成を示す断面図である。
【図１５】本発明の第５実施形態に係る表示装置の着脱の説明図である。
【符号の説明】
【００６８】
１ 表示装置
１０ 光学ユニット
１００ 光源ユニット
１０１ 光源
１４０ 遠心ファン
２０３ インテグレータレンズＢ
３０１ コリメータレンズＡ
４１３、４１４、４１５ ライトバルブ
５００ 投射系ユニット
５０１ 投射レンズ
７００ 下側ユニットケース
７０１ 上側ユニットケース
７１４ 導風部
７１５ 導風部Ｂ
７１６ 導風板
７１７ ガイド部材
７１８ 空間
【図１】
2005266833.tif 000003
【図２】
2005266833.tif 000004
【図３】
2005266833.tif 000005
【図４】
2005266833.tif 000006
【図５】
2005266833.tif 000007
【図６】
2005266833.tif 000008
【図７】
2005266833.tif 000009
【図８】
2005266833.tif 000010
【図９】
2005266833.tif 000011
【図１０】
2005266833.tif 000012
【図１１】
2005266833.tif 000013
【図１２】
2005266833.tif 000014
【図１３】
2005266833.tif 000015
【図１４】
2005266833.tif 000016
【図１５】
2005266833.tif 000017